(57)【要約】      （修正有）【課題】歯科用義歯の製造時に使われる固形のコンパウンドスティック材を易しく溶融して使って義歯の製造工程及び製造時間を大幅に低減させ得る歯科用コンパウンドガンを提供する。【解決手段】ガン状の外形をなし、コンパウンドスティック材２を挿入する挿入口１１が形成されたボディー部１０と、挿入口１１に挿入された前記コンパウンドスティック材２をボディー部１０の他側に移送させるフィード部２０と、フィード部２０から進入したコンパウンドスティック材２を加熱して溶融させ、溶融コンパウンド材をボディー部１０の外部に排出させる溶融部３０と、フィード部２０を駆動するためのトリガー４１を備える。制御部５０は、トリガー４１の作動信号が印加された場合にモーター４２を正方向に回転させ、トリガー４１の作動信号が遮断された場合に前記モーター４２を逆方向に回転させる。【選択図】図２
2015062649.tif 000002
【特許請求の範囲】
【請求項１】
ガン状の外形をなし、一側にコンパウンドスティック材を挿入する挿入口が形成されたボディー部と、
前記挿入口に挿入された前記コンパウンドスティック材を前記ボディー部の他側に移送させるフィード部と、
前記フィード部から進入した前記コンパウンドスティック材を加熱して溶融させ、溶融コンパウンド材を前記ボディー部の外部に排出させる溶融部と、
前記フィード部を駆動するためのトリガーを備え、前記トリガーの作動によって回転作動するモーターを備えた駆動部と、
前記トリガーの作動信号を受けて、前記モーターに供給される電源を制御する制御部と、
前記ボディー部が床面に載置されるように前記ボディー部の下部に結合され、床面に支持される載置部とを含み、
前記制御部は、前記トリガーの作動信号が印加された場合に前記モーターを正方向に回転させ、前記トリガーの作動信号が遮断された場合に前記モーターを逆方向に回転させることを特徴とする、歯科用コンパウンドガン。
【請求項２】
前記載置部は、前記制御部に外部電源を供給するための電源連結部と前記溶融部の加熱温度を調節するための温度調節部とをさらに備え、
前記制御部は、前記コンパウンドスティック材の移送速度を調節するために、前記温度調節部で設定された温度範囲によって前記モーターの回転速度を制御することを特徴とす、請求項１に記載のる歯科用コンパウンドガン。
【請求項３】
前記フィード部は、
前記モーターの回転軸に連結されて回転駆動されるウォーム軸と、
前記ウォーム軸とギアを介して噛み合い、前記コンパウンドスティック材と転がり接触したままで回転して前記コンパウンドスティック材を移送させる少なくとも一つ以上のローラーとを含んでなることを特徴とする、請求項１又は２に記載の歯科用コンパウンドガン。
【請求項４】
前記フィード部は、前記溶融部に前記コンパウンドスティック材を挿入誘導するためのスティック保持部材をさらに含んでなり、
前記スティック保持部材は弾性ゴム材の管体からなり、
前記溶融部と前記ローラーとの間で前記コンパウンドスティック材の末端部を摩擦して誘導するように入口の内部に傾いたテーパー面が形成されたことを特徴とする、請求項３に記載の歯科用コンパウンドガン。
【請求項５】
前記フィード部は、前記スティック保持部材の入口部分に突出するように設けられて前記スティック保持部材の内部に進入した前記コンパウンドスティック材の外周面をガイドしながら支持する流動防止部材をさらに含んで構成されることを特徴とする、 請求項４に記載の歯科用コンパウンドガン。
【発明の詳細な説明】
【技術分野】
【０００１】
本発明は歯科用コンパウンドガンに係り、より詳しくは歯科用義歯の製造時に使われる固形のコンパウンドスティック材を易しく溶融して使うことができるようにすることで、以前のように手作業で進行されている義歯の製造工程及び製造時間を大幅に減らすことができるだけではなく、作業時に発生することができる火事などの安全事故を予防することができ、床面に対する載置が便利で使用及び保管が容易な歯科用コンパウンドガンに関するものである。
【背景技術】
【０００２】
一般に、義歯は、一つ又はそれ以上の自然歯牙が欠損した場合、これを回復させるための歯科補綴物を言う。このような義歯補綴物を製作するためには、まず蝋義歯（Ｗａｘ ｄｅｎｔｕｒｅ）を製作し、患者の口腔内に試適し、機能性及び審美性を確認し、問題がない場合、蝋義歯状態の人工歯を除いた残りの部分をアクリルレジンで重合して製作する過程に依ることになる。
【０００３】
この際、前記蝋義歯（Ｗａｘ ｄｅｎｔｕｒｅ）は、最終の局所義歯や総義歯補綴物に製作完成するに先立ち、審美性、咬合、発音などの関係を確認するために、患者口腔内に試適する目的で作った一種の一時義歯で、通常に基礎床（ｂａｓｅ ｐｌａｔｅ）上に人工歯を配列し、義歯床はワックス（Ｗａｘ）を刻んで作るようになるので、蝋義歯と言う。
【０００４】
蝋義歯を最終の義歯に製作するためには、まず蝋義歯をフラスコ（ｆｌａｓｋ）に埋沒した後、熱水にフラスコを漬けた状態で熱を加えてワックスを軟化させ、フラスコを分離（上型及び下型）させた状態で、レジン分離剤を塗布した後、フラスコを再び組立てる。その後、充分に溶融した液状の多様な色相のレジン（ｒｅｓｉｎ）を前記フラスコに注入（Ｉｎｊｅｃｔｉｏｎ）した後、充分に冷却させ、フラスコからレジン成形義歯を取り出し、最終に仕上げ及び研磨を実施することによって義歯が製作される。
【０００５】
一方、前記のような義歯を製造するために多様な印象材料が使われる。近年には歯科用印象コンパウンド（ｄｅｎｔａｌ ｉｍｐｒｅｓｓｉｏｎ ｃｏｍｐｏｕｎｄ）又は歯科用モールドコンパウンド（ｄｅｎｔａｌ ｍｏｌｄ ｃｏｍｐｏｕｎｄ）と呼ばれるスティック材を使用者が手作業で直接火で溶かして使っていたものである。
【０００６】
しかし、前記のような作業は、精密な作業ができなかっただけでなく、使用したスティック保管した後に再使用する過程でコンパウンド材が紛失されるなどの問題点がある。このように手作業で進む義歯の製造工程は精密な作業を要求するもので、未熟練者がこのような義歯の製造作業を進めることが非常に難しい実情であり、しかも火力が発生する装置を直接扱わなければならないため、素人の場合に火事などの安全事故が発生し得るなどの問題点が発生したものである。
【発明の概要】
【発明が解決しようとする課題】
【０００７】
本発明は前記のような問題点を解決するためになされたもので、歯科用義歯の製造時に使われる固形のコンパウンドスティック材を易しく溶融して使うことができるようにすることにより、以前のように手作業で進んでいる義歯の製造工程及び製造時間を大幅に低減させることができるだけではなく、作業時に発生し得る火事などの安全事故を予防することができ、床面に対する載置が便利で使用及び保管が容易な歯科用コンパウンドガンを提供することにその目的がある。
【課題を解決するための手段】
【０００８】
前記のような目的を達成するために、本発明による歯科用コンパウンドガンは、ガン状の外形をなし、一側にコンパウンドスティック材を挿入する挿入口が形成されたボディー部と、前記挿入口に挿入された前記コンパウンドスティック材を前記ボディー部の他側に移送させるフィード部と、前記フィード部から進入した前記コンパウンドスティック材を加熱して溶融させ、溶融コンパウンド材を前記ボディー部の外部に排出させる溶融部と、前記フィード部を駆動するためのトリガーを備え、前記トリガーの作動によって回転作動するモーターを備えた駆動部と、前記トリガーの作動信号を受けて、前記モーターに供給される電源を制御する制御部と、前記ボディー部が床面に載置されるように前記ボディー部の下部に結合され、床面に支持される載置部とを含み、前記制御部は、前記トリガーの作動信号が印加された場合に前記モーターを正方向に回転させ、前記トリガーの作動信号が遮断された場合に前記モーターを逆方向に回転させることを特徴とする。
【０００９】
また、本発明による歯科用コンパウンドガンは、前記載置部が、前記制御部に外部電源を供給するための電源連結部と前記溶融部の加熱温度を調節するための温度調節部とをさらに備え、前記制御部が、前記コンパウンドスティック材の移送速度を調節するために、前記温度調節部で設定された温度範囲によって前記モーターの回転速度を制御することができる。
【００１０】
また、本発明による歯科用コンパウンドガンは、前記フィード部が、前記モーターの回転軸に連結されて回転駆動されるウォーム軸と、前記ウォーム軸とギアを介して噛み合い、前記コンパウンドスティック材と転がり接触したままで回転して前記コンパウンドスティック材を移送させる少なくとも一つ以上のローラーとを含んでなることができる。
また、本発明による歯科用コンパウンドガンは、前記フィード部が、前記溶融部に前記コンパウンドスティック材を挿入誘導するためのスティック保持部材をさらに含んでなり、前記スティック保持部材が弾性ゴム材の管体からなり、前記溶融部と前記ローラーとの間で前記コンパウンドスティック材の末端部を摩擦して誘導するように入口の内部に傾いたテーパー面が形成されることができる。
また、本発明による歯科用コンパウンドガンは、前記フィード部が、前記スティック保持部材の入口部分に突出するように設けられて前記スティック保持部材の内部に進入した前記コンパウンドスティック材の外周面をガイドしながら支持する流動防止部材をさらに含んで構成されることを特徴とする。
【発明の効果】
【００１１】
前記のような構成により、本発明による歯科用コンパウンドガンは、歯科用義歯の製造時に使われる固形のコンパウンドスティック材を易しく溶融して使うことができるようにすることにより、以前のように手作業に進行されている義歯製造工程及び製造時間を大きく縮めさせることだけではなく、作業時発生することができる火事などの安全事故を予防することができ、床面に対する載置が便利で使用及び保管が容易な利点を持つ。
【図面の簡単な説明】
【００１２】
【図１】本発明の一実施例による歯科用コンパウンドガンを示す斜視図である。
【図２】本発明の一実施例による歯科用コンパウンドガンを示す側断面図である。
【図３】本発明の一実施例による歯科用コンパウンドガンのボディー部の内部を示す斜視図である。
【図４】本発明の一実施例による歯科用コンパウンドガンの構成を示すブロック図である。
【発明を実施するための形態】
【００１３】
以下、添付図面に示す実施例を参照して本発明による歯科用コンパウンドガンをより詳細に説明する。
【００１４】
図１は本発明の一実施例による歯科用コンパウンドガンを示す斜視図、図２は本発明の一実施例による歯科用コンパウンドガンを示す側断面図、図３は本発明の一実施例による歯科用コンパウンドガンのボディー部の内部を示す斜視図、図４は本発明の一実施例による歯科用コンパウンドガンの構成を示すブロック図である。
【００１５】
図面を参照すれば、本発明の一実施例による歯科用コンパウンドガン１は、ボディー部１０、フィード部２０、溶融部３０、駆動部４０、制御部５０、及び載置部６０を含んでなる。
【００１６】
前記ボディー部１０は、後述する前記フィード部２０、溶融部３０、及び駆動部４０を内部に収容することができる空間を成す本体１０ａ及び取っ手１０ｂからなるもので、容易な使用のための形状の外形を成すように構成される。
【００１７】
前記ボディー部１０は、前記本体１０ａの一側、つまり後方にコンパウンドスティック材２を挿入することができる挿入口１１が形成され、前記挿入口１１に挿入された前記コンパウンドスティック材２が前記フィード部２０によって前記本体１０ａの他側、つまり前方に移送することができるようになる。
【００１８】
前記フィード部２０は、前記挿入口１１に挿入された前記コンパウンドスティック材２を前記ボディー部１０の他側に移送させるための構成である。
【００１９】
このために、前記フィード部２０は、前記挿入口１１から前記本体１０ａの内部に長手方向に長く凹んでいる溝をなすガイド２０ａが備えられ、前記挿入口１１から進入した前記コンパウンドスティック材２を前記ガイド２０ａに沿ってガイドして移送させることができるようにする。
【００２０】
前記溶融部３０は、前記フィード部から進入した前記コンパウンドスティック材２を溶融させ、溶融コンパウンド材を前記ボディー部１０の外部に排出させるための構成である。
【００２１】
前記溶融部３０は、前記ボディー部１０の他側、つまり前記本体１０ａの内部前方に溶融コンパウンド材が排出される排出口３１ａを持つノズル３１と、前記ノズル３１を取り囲むように設置された熱線３２とを含んでなる。
【００２２】
前記ノズル３１は、前記フィード部２０のガイド２０ａに沿って移送される前記コンパウンドスティック材２が通過することができる中空型の内部空間が形成され、前記熱線３２によって前記コンパウンドスティック材２を溶融させるようになる。また、前記ノズル３１は軽くて熱伝逹の容易なアルミニウム材から形成されることが好ましく、前記排出口３１ａを通じて溶融コンパウンド材を安定に排出させることができるようになる。
【００２３】
前記駆動部４０は、前記ボディー部１０の内部に挿入された前記コンパウンドスティック材２を移送させるために前記フィード部２０を駆動するための構成である。前記駆動部４０は、前記ボディー部１０の取っ手１０ｂの前面に突設されたトリガー４１が備えられ、前記取っ手１０ｂの内側には前記トリガー４１の作動信号を受けて回転作動するモーター４２が備えられる。
【００２４】
前記トリガー４１は、ガンの形状に形成された前記ボディー部１０において前記フィード部２０を駆動するためのスイッチの役目をするように備えられたもので、前記モーター４２の一端にスプリングを介して弾支され、使用者の操作によって電源を印加するとか遮断するように後述の制御部５０に電気的に連結される。
【００２５】
このために、後述の前記制御部５０が前記モーター４２に供給される電源を制御して前記モーター４２を回転作動させ、前記モーター４２の作動によって前記フィード部２０を駆動することができるようになる。
【００２６】
前記制御部５０は前記フィード部２０、溶融部３０及び駆動部４０の作動を制御するための構成である。このために、前記制御部５０は、前記トリガー４１の作動信号を受け、前記モーター４２に供給される電源を制御するようになる。
【００２７】
一方、本発明の一実施例においては、前記溶融部３０のノズル３１を通じて溶融コンパウンド材を排出するようにしているが、前記溶融コンパウンド材が排出されることが止まるように電源を遮断した場合、前記ノズル３１の排出口３１ａの周辺に残っている液状の材料が流れ出る問題が発生することができるものである。
【００２８】
よって、本発明は、前記のような問題点を認識し、前記溶融部３０のノズル３１で熱線３２によって溶融して前記排出口３１ａから排出され、残ったコンパウンド材が前記排出口３１ａから流れ出ないように構成されたことを特徴とする。
【００２９】
したがって、本発明の歯科用コンパウンドガン１は、前記制御部５０が、前記トリガー４１の作動信号が印加された場合、前記モーター４２を一定時間のうちに正方向に回転させ、前記トリガー４１の作動信号が遮断された場合、前記モーター４２を一定時間のうちに逆方向に回転させるように制御する。
【００３０】
前記のような作用は、図２に示すように、前記ボディー部１０の取っ手１０ｂの内部又は前記制御部５０の回路基板などに設置可能なモーターリレー４３によってその作動が可能になるものであり、前記リレー４３は前記制御部５０に連結され、前記トリガー４１の作動信号に応じて正方向回転信号が遮断された場合、一定時間のうちに逆方向に前記モーター４２が回転するように構成できる。
【００３１】
また、前記ボディー部１０の外側に別途のスイッチを設置して前記モーター４２が逆方向に回転するようにすることができ、前記トリガー４１が逆方向回転信号を発生することができる連結構造となるようにする実施例も可能であろう。
【００３２】
例えば、前記トリガー４１を１回押した場合、前記モーター４２が正方向に回転し、前記トリガー４１をさらに１回押した場合、前記モーター４２が逆方向に回転するように前記制御部５０の回路設計を構成する実施例も可能なものである。
【００３３】
前記載置部６０は、前記制御部５０を内部に収容することができる空間を提供するとともに前記ボディー部１０が床面に載置されるように前記ボディー部１０の下部に結合されて床面に支持される。
【００３４】
前記載置部６０は一定幅の底面をなす板状のケース形態に形成されることで、前記ボディー部１０が安定に載置できるようにする。
【００３５】
また、前記載置部６０は、後端部の一側に、前記制御部５０に外部電源を供給及び連結するための電源連結部６１をさらに備える。
【００３６】
前記のような構成により、本発明の前記歯科用コンパウンドガン１は、歯科用義歯の製造作業が非常に便利で安全であるだけでなく、従来の手作業に比べてもっと精密な作業が可能となるようにする。また、溶融コンパウンド材の排出を止めるように前記トリガー４１の印加信号が遮断された場合、前記ノズル３１の排出口３１ａを通じて内部の残ったコンパウンド材が流れ出ないようにすることができるので、非常に便利で清潔な作業が可能となる作用効果が発生する。
【００３７】
一方、本発明の一実施例による歯科用コンパウンドガン１は、前記フィード部２０がウォーム軸２１とローラー２２とを含んでなることを特徴とする。
【００３８】
前記ウォーム軸２１は前記ローラー２２に回転動力を提供するためのもので、前記モーター４２の回転軸に連結されて回転駆動される。
【００３９】
前記ローラー２２は前記ボディー部１０の本体１０ａの内部で前記コンパウンドスティック材２を移送させるためのものである。この際、前記ローラー２２は前記ウォーム軸２１とギアを介して噛み合い、前記コンパウンドスティック材２には転がり接触して回転するように少なくとも一つ以上でなることができる。
【００４０】
また、本発明の一実施例による歯科用コンパウンドガン１は、前記フィード部２０が、前記溶融部３０に前記コンパウンドスティック材２を挿入誘導するためのスティック保持部材２４をさらに含んでなることを特徴とする。
【００４１】
前記スティック保持部材２４は前記溶融部３０と前記ローラー２２との間に備えられたもので、弾性ゴム材から形成されることが好ましく、前記ノズル３１の内径と同じ内径を持つ管体のものであり、一側が前記ノズル３１の後方外周面にスナップリングによって締結固定され、他側に形成された入口を通じて前記コンパウンドスティック材２が挿入誘導されるようにする。
【００４２】
一方、本発明においては、前記ボディー部１０の後方に形成された挿入口１１と前記ガイド２０ａを通じて前記コンパウンドスティック材２が前記溶融部３０まで移送され、前記コンパウンドスティック材２が前後方に押されるなどの現象によって前記溶融部３０に正常に挿入できなくなるなどのおそれが発生するものである。
【００４３】
図２を参照すれば、前記スティック保持部材２４は前記ノズル３１の後方に連結され、前記溶融部３０のノズル３１の入口を前記ローラー２２の周辺まで延長させる役目をするだけでなく、弾性を持つゴム材で形成されることにより、樹脂材のコンパウンドスティック材２との相互摩擦力を増加させて、前記ローラー２２によって移送される前記コンパウンドスティック材２が前後に押されるとか流動する現象を防止するようになる。
【００４４】
この際、前記スティック保持部材２４は、他側入口に、前記コンパウンドスティック材２の末端部が摩擦によって誘導されるように入口の内部に傾いたテーパー面２４ａが形成され、前記ノズル３１の後端部と接触する部分には内周面に沿って突出した内部突起２４ｂが形成される。
【００４５】
これにより、前記ボディー部１０の挿入口１１に挿入され、前記フィード部２０によって移送される前記コンパウンドスティック材２は前記のように構成された前記スティック保持部材２４によって前記溶融部３０、つまり前記ノズル３１に進入する過程で前記ローラー２２の駆動力によって移送されながら外周面が前記テーパー面２４ａに弾性的に圧搾されて前記スティック保持部材２４の内部で押されながら移動するようになる。この際、前記コンパウンドスティック材２が前記ノズル３１の後端部入口３１ｂまで到逹すれば、前記内部突起２４ｂによって圧搾支持され、前記コンパウンドスティック材２が前記ノズル３１に安定に移動することができるようになる。
【００４６】
また、前記テーパー面２４ａと前記内部突起２４ｂは、前記ローラー２２が正方向又は逆方向に作動する場合、前述したように、前記コンパウンドスティック材２が前記溶融部３０に容易に進入することができるように誘導する役目をするとともに前後方向に移動しながら押されるとか流動する現象を防止するようになる。
【００４７】
なお、前記テーパー面２４ａと前記内部突起２４ｂは、図３に示したように、それぞれ内側に突出するように形成されたもので、前記ノズル３１の内部で溶融したコンパウンド材が前記ボディー部１０の内側に流れることを防止する役目もするものである。
【００４８】
一方、本発明の一実施例による歯科用コンパウンドガン１は、前記ローラー２２が下部ローラー２２１及び上部ローラー２２２を含んでなることを特徴とする。
【００４９】
前記下部ローラー２２１は、前記ウォーム軸２１とギアを介して噛み合って回転駆動される第１ローラー２２１ａと、前記第１ローラー２２１ａの前方に所定距離で離隔した位置に配置され、前記コンパウンドスティック材２の下端部を支持し、前記スティック保持部材２４の入口に前記コンパウンドスティック材２をガイドする第２ローラー２２１ｂとからなる。
【００５０】
また、前記第１ローラー２２１ａ及び第２ローラー２２１ｂのそれぞれは水平軸に一対のローラーが所定間隔で結合されてなる。一対のローラーのそれぞれの内側は前記コンパウンドスティック材２の外周面と容易に摩擦するように少し突出して互いに対称形状のローラー面が形成され、前記コンパウンドスティック材２が前記第１ローラー２２１ａ及び第２ローラー２２１ｂの間で両側の前記ローラー面に転がり接触するように支持され、前記第１ローラー２２１ａの回転によって移送できるようになる。
【００５１】
よって、一対のローラーからなった前記第１ローラー２２１ａはいずれか一方のローラーが前記モーター４２によって回転する前記ウォーム軸２１にギアを介して直接噛み合って回転し、前記第２ローラー２２１ｂは前記第１ローラー２２１ａの回転によって移送される前記コンパウンドスティック材２の前方末端部が下部に垂れないようにする役目をするとともに、前記スティック保持部材２４の入口、つまり前記テーパー面２４ａに接触したままで挿入できるように誘導する役目をする。
【００５２】
前記上部ローラー２２２は、前記第１ローラー２２１ａの上部で前記第１ローラー２２１ａとギアを介して噛み合って前記第１ローラー２２１ａの回転方向に対応して回転する第３ローラー２２２ａと、前記第３ローラー２２２ａの前方に所定距離で離隔した位置に配置され、前記第２ローラー２２１ｂの上部で前記第２ローラー２２１ｂとギアを介して噛み合って前記コンパウンドスティック材２の上端部を支持する第４ローラー２２２ｂとからなる 。
【００５３】
図３を参照すれば、前記上部ローラー２２２は、前記第３ローラー２２２ａ及び前記第４ローラー２２２ｂのそれぞれがギアを介して互いに噛み合った前記第１ローラー２２１ａ及び第２ローラー２２１ｂに対応して回転しながら前記溶融部３０に向かって移送される前記コンパウンドスティック材２の上端部と下端部を安定に支持するようにしたもので、前述したような前記第１ローラー２２１ａ及び第２ローラー２２１ｂのように一対のローラーからなり、前記コンパウンドスティック材２の外周面と容易に摩擦するように少し突出して互いに対称形状のローラー面が形成される。
【００５４】
したがって、前記コンパウンドスティック材２が弾性ゴム材からなった前記スティック保持部材２４を通過するために進退する場合、前記テーパー面２４ａの摩擦抵抗などを克服して安定に進退するようにする効果を発揮する。
【００５５】
また、図３を参照すれば、前記上部ローラー２２２は、一端が前記ボディー部１０にヒンジ軸を介して連結されて前記ヒンジ軸を中心に回転しながら展開可能な回転ブラケット２３に設置される。よって、ギアを介して互いに噛み合った前記下部ローラー２２１及び前記上部ローラー２２２はその間が互いに広がるように解体可能であり、前記ボディー部１０の内部で移送する前記コンパウンドスティック材２を外部に露出させることができるようになる。
【００５６】
したがって、前記ボディー部１０は、前記ウォーム軸２１、ローラー２２、モーター４２などの部品故障の際、前記コンパウンドスティック材２などを引き出す作業などが容易に行えるように前記ボディー部１０の上面に開閉可能に設けられる上部カバー１２を備え、前記上部カバー１２の一側が前記ボディー部１０の内面で係止又は解除できるように設置された開閉ボタン１３を備えることができる。
【００５７】
前記のような構成を持つ本発明の歯科用コンパウンドガン１はそれぞれの構成要素の有機的な結合によって前記のような作用効果を発揮するもので、前記ローラー２２及び前記スティック保持部材２４のような構成によって前記コンパウンドスティック材２の流動を防止し、前記溶融部３０に安定に供給することができるようになり、故障の際、前記ローラー２２を前記コンパウンドスティック材２から易しく離脱させることができるようにすることにより、構造的安全性が保障されて使用が便利であり、維持や保守が非常に容易な歯科用コンパウンドガン１を提供することができる。
【００５８】
一方、本発明の一実施例による歯科用コンパウンドガン１において、前記載置部６０は、前記溶融部３０の加熱温度を調節するための温度調節部７０をさらに備えることを特徴とする。
【００５９】
図２及び図３を参照すれば、前記温度調節部７０は、前記載置部６０の前方上面に設置されたタッチスイッチ７１と前記タッチスイッチ７１の作動によって温度調節段階を表示する温度表示部７２とからなることができる。
【００６０】
この際、前記制御部５０は、前記コンパウンドスティック材２の移送速度を調節するために、前記温度調節部７０、つまり前記タッチスイッチ７１の操作によって設定の温度範囲によって前記モーター４２の回転速度を制御するようになる。
【００６１】
前記のように前記制御部５０が前記モーター４２の回転速度を調節する理由は、前記温度調節部７０で設定された温度が高い場合、前記コンパウンドスティック材２の溶融速度が速くなり、前記ノズル３１を通じて排出されるコンパウンド材の排出量が多くなることができるから前記コンパウンドスティック材２の供給速度を遅くするためであり、反対に前記温度調節部７０で設定された温度が低い場合には、前記コンパウンドスティック材２の溶融速度が遅くなるから、前記ノズル３１を通じて排出される溶融コンパウンド材の排出量を増やすために前記コンパウンドスティック材２の供給速度を速めるようにするためである。
前記のような構成によって本発明の歯科用コンパウンドガン１は、歯科用義歯の製造作業の際、前記コンパウンドスティック材２の溶融速度を使用者が便利に調節することができるだけではなく、溶融速度の調節によって大幅に変化することができるコンパウンド材の排出量を安定に供給することができる効果も発生するものである。
また、本発明の一実施例による歯科用コンパウンドガン１は、前記フィード部２０が、前記スティック保持部材２４の入口部分に突出するように設けられて前記スティック保持部材２４の内部に進入した前記コンパウンドスティック材２の外周面をガイドしながら支持する流動防止部材２５をさらに含んで構成される。
図２及び図３を参照すれば、前記流動防止部材２５は、一対で構成され、前記スティック保持部材２４の入口部分、すなわち、前記スティック保持部材２４のテーパー面２４ａが形成された方向の上下部分にそれぞれ突出して前記コンパウンドスティック材２を支持する支持面が形成される。
前記流動防止部材２５は、前記スティック保持部材２４の上端部と下端部の外側をそれぞれ取り囲む形に固定配置され、前記支持面が円弧の一部をなす形状に形成されて前記コンパウンドスティック材２の外周面を安定的に支持するようになる。
【００６２】
よって、前記流動防止部材２５は前記スティック保持部材２４の内部に進入した状態の前記コンパウンドスティック材２が流動しないように安定的に支持することができる役目をするようになる。
【００６３】
言いかえれば、前記挿入口１１を通じて挿入された前記コンパウンドスティック材２は、前記ローラー２２によってその先端部が前記溶融部３０のノズル３１に進入した後、前記熱線３２によって溶融し始める。前記溶融の進行につれて前記コンパウンドスティック材２が段々コンパウンド片の形態に小さくなり、最終的には前記片状の前記コンパウンドスティック材２の後端部が前記ローラー２２を外れる。この際、片状の残った前記コンパウンドスティック材２は、弾性材からなった前記スティック保持部材２４の内部で相互間の摩擦力によって前進する又は後進するとき、後端部が上下方向又は左右方向に流動する現象が発生し得るものである。
【００６４】
すなわち、片状の残った前記コンパウンドスティック材２は前記挿入口１１の方向に新たに投入されたコンパウンドスティック材２によって押される。このような流動現象が発生する場合、残った片状の前記コンパウンドスティック材２が安定的に押されなくて前記スティック保持部材２４の内部で歪曲して前記ローラー２２の間に詰まることによって前進や後進の作動ができなくなる問題が発生し得るものである。
【００６５】
したがって、本発明の歯科用コンパウンドガン１は、前記フィード部２０に前記コンパウンドスティック材２を挿入して誘導するための前記スティック保持部材２４とともに前記流動防止部材２５をさらに含むように構成されることにより、前記コンパウンドスティック材２の前進及び後進の作動が非常に安定的に行われるようにする。
【００６６】
前述するとともに図面に示した歯科用コンパウンドガンは本発明を実施するための一実施例に過ぎなく、本発明の技術的思想を限定するものに解釈してはならない。本発明の保護範囲は以下の特許請求範囲に開示された事項によってだけ決められ、本発明の要旨を逸脱しない範疇内で改良ないし変更された実施例は本発明が属する技術分野で通常の知識を持った者に明らかなものである限り、本発明の保護範囲に属するものであると言える。
【産業上の利用可能性】
【００６７】
本発明は、歯科用義歯の製造時に使われる固形のコンパウンドスティック材を易しく溶融して使って義歯の製造工程及び製造時間を大幅に低減させ、作業時に発生し得る火事などの安全事故を予防し、床面に対する載置が便利で使用及び保管が容易な歯科用コンパウンドガンに適用可能である。
【符号の説明】
【００６８】
１    コンパウンドガン
２    コンパウンドスティック材
１０    ボディー部
１１    挿入口
１２    上部カバー
１３    開閉ボタン
２０    フィード部
２１    ウォーム軸
２２    ローラー
２３    回転ブラケット
２４    スティック保持部材
２４ａ    テーパー面
２４ｂ    内部突起
２５    流動防止部材
２２１    下部ローラー
２２１ａ    第１ローラー
２２１ｂ    第２ローラー
２２２    上部ローラー
２２２ａ    第３ローラー
２２２ｂ    第４ローラー
３０    溶融部
３１    ノズル
３２    熱線
４０    駆動部
４１    トリガー
４２    モーター
４３    リレー
５０    制御部
６０    載置部
６１    電源連結部
７０    温度調節部
【図１】
2015062649.tif 000003
【図２】
2015062649.tif 000004
【図３】
2015062649.tif 000005
【図４】
2015062649.tif 000006
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
ガン状の外形をなし、一側にコンパウンドスティック材を挿入する挿入口が形成されたボディー部と、
前記挿入口に挿入された前記コンパウンドスティック材を前記ボディー部の他側に移送させるフィード部と、
前記フィード部から進入した前記コンパウンドスティック材を加熱して溶融させ、溶融コンパウンド材を前記ボディー部の外部に排出させる溶融部と、
前記フィード部を駆動するためのトリガーを備え、前記トリガーの作動によって回転作動するモーターを備えた駆動部と、
前記トリガーの作動信号を受けて、前記モーターに供給される電源を制御する制御部と、
前記ボディー部が床面に載置されるように前記ボディー部の下部に結合され、床面に支持される載置部とを含み、
前記制御部は、前記トリガーの作動信号が印加された場合に前記モーターを正方向に回転させて前記コンパウンドスティック材を前記ボディー部の他側に移送させ、前記トリガーの作動信号が遮断された場合に一定時間、自動的に前記モーターを逆方向に回転させて前記コンパウンドスティック材を反対方向に移送させることを特徴とする、歯科用コンパウンドガン。
【請求項２】
前記載置部は、前記制御部に外部電源を供給するための電源連結部と前記溶融部の加熱温度を調節するための温度調節部とをさらに備え、
前記制御部は、前記コンパウンドスティック材の移送速度を調節するために、前記温度調節部で設定された温度範囲によって前記モーターの回転速度を制御することを特徴とす、請求項１に記載のる歯科用コンパウンドガン。
【請求項３】
前記フィード部は、
前記モーターの回転軸に連結されて回転駆動されるウォーム軸と、
前記ウォーム軸とギアを介して噛み合い、前記コンパウンドスティック材と転がり接触したままで回転して前記コンパウンドスティック材を移送させる少なくとも２つのローラーとを含んでなることを特徴とする、請求項１又は２に記載の歯科用コンパウンドガン。
【請求項４】
前記フィード部は、前記溶融部に前記コンパウンドスティック材を挿入誘導するためのスティック保持部材をさらに含んでなり、
前記スティック保持部材は弾性ゴム材の管体からなり、
前記溶融部と前記ローラーとの間で前記コンパウンドスティック材の末端部を摩擦して誘導するように入口の内部に傾いたテーパー面が形成されたことを特徴とする、請求項３に記載の歯科用コンパウンドガン。
【請求項５】
前記フィード部は、前記スティック保持部材の入口部分に突出するように設けられて前記スティック保持部材の内部に進入した前記コンパウンドスティック材の外周面をガイドしながら支持する流動防止部材をさらに含んで構成されることを特徴とする、 請求項４に記載の歯科用コンパウンドガン。